(57)【特許請求の範囲】
【請求項１】
室内収納スペース（Ｒ）の開口部（７０）に組み付けられるドア枠（７１）と、ドア枠（７１）の開口面を開閉するドア本体（１Ａ）とを備えており、
ドア枠（７１）は、開口部（７０）の外縁壁に固定される左右一対の縦枠（７３）を含み、
ドア本体（１Ａ）が、縦枠（７３）で規定されたドア開口に沿って、開口部（７０）の外縁壁より外側で開閉するように配置してあるアウトセット構造のドア装置であり、
このドア装置は、左右一対の縦枠（７３）を含むドア枠（７１）と、両縦枠（７３）の上端間に固定したガイドレール（２）と、複数個のドアパネル（１）を折り畳み可能に連結して構成されるドア本体（１Ａ）と、ドアパネル（１）に装着されるランナー（３）とを含む折戸に適用されるものであり、
ガイドレール（２）に上向きに突出するレール部（８）が設けられており、このレール部（８）にランナー（３）が上方から吊り掛けられており、
ランナー（３）は、ドアパネル（１）の上端面に固定されるブラケット（１２）と、ブラケット（１２）に対してピン（１３）で相対揺動可能に軸支されるアーム（１４）と、ドアパネル（１）の内面側においてアーム（１４）で支持されるランナーブロック（１５）とを含み、
吊元側のランナー（３）が、ガイドレール（２）に固定したストッパー（２２）で移動不能に固定されており、
ストッパー（２２）は、ガイドレール（２）に固定されるホルダー（２３）と、ホルダー（２３）で上下動可能に支持されて、ばね（２５）で押し上げ付勢されるロック軸（２４）とを含み、
ランナーブロック（１５）の下部に設けた突起（２０）をロック軸（２４）で受け止めて、ランナー（３）が移動不能に固定されており、
ドアパネル（１）と床面との間に設けたピボットヒンジ（５）と、吊元側ランナー（３）のアーム（１４）を軸支するピン（１３）とで、吊元側のドアパネル（１）が揺動のみ可能に軸支されており、
ピボットヒンジ（５）が、ドアパネル（１）の下端隅部に設けられるピボット軸（２７）と、床側に設けられてピボット軸（２７）を軸支するピボット軸受（２８）とを備えており、
ピボット軸受（２８）は、ケース（３２）と、ケース（３２）内に配置されてピボット軸（２７）を軸支する軸受プレート（３３）と、調整用の第１・第２ボルト（３４・３５）とを含み、
ケース（３２）の上壁（４２）に、第１ボルト（３４）の左右移動を許す第１調整穴（４６）と、第２ボルト（３５）の前後移動を許す第２調整穴（４７）と、ピボット軸（２７）の前後・左右方向の移動を許す調整開口（４８）とが設けられており、
軸受プレート（３３）には、ピボット軸（２７）を軸支する軸受部（５４）と、第２ボルト（３５）との動作干渉を避ける左右方向の逃げ溝（５５）と、第１ボルト（３４）が挿通される揺動穴（５６）とが設けられており、
第１調整穴（４６）および揺動穴（５６）に挿通した第１ボルト（３４）と、第２調整穴（４７）および逃げ溝（５５）に挿通した第２ボルト（３５）とで、軸受プレート（３３）がケース（３２）に対して左右調整可能に、かつ前後へ調整揺動可能に締結してあることを特徴とするアウトセット構造のドア装置。
【請求項２】
アーム（１４）とランナーブロック（１５）とが相対的に上下動可能に連結されて、ランナーブロック（１５）がばね（１９）で押し下げ付勢されている請求項１記載のアウトセット構造のドア装置。  
【発明の詳細な説明】
【０００１】
【発明の属する技術分野】
この発明は、クローゼットなどの人が出入りできる室内収納スペースに適用されるドア装置、なかでも既存の住宅においてリフォームを行うのに好適なドア装置に関する。
【０００２】
【従来の技術】
既存の住宅において、例えば居室に臨んで設けられるクローゼットのドア全体を改装するなど、室内の雰囲気やデザインを向上する目的のために各種のリフォームを行うことがある。先のドア改装の場合には、開口部の縦横寸法を基準にして、開口部の内面に新なドア枠を形成し、ドア枠に合わせてドアパネルの上下寸法や幅寸法を調整することになる。
【０００３】
【発明が解決しようとする課題】
上記のように、新たなドア枠を設ける場合には、ドア枠を開口部の内面に嵌め込むようにして組む必要があるため、ドア枠およびドアパネルの外形寸法や直角度などを高い精度で形成しなければならず、施工に多くの手間と時間とを要する。とくに開口部の経年変化に伴う歪み等によって、柱や鴨居などに傾きやそり変形があるような場合には、そのことも考慮してドア枠を形成しなければならず、調整作業に多くの手間が必要となる。因みに、この種の改装は家庭生活を維持したままで行うことが多いため、迅速に施工することが望まれるが、先のように少なからず調整作業を行う必要があるため、施工に長時間を要し勝ちであった。
【０００４】
この発明の目的は、開口部の形状や寸法に制約されず、しかも開口部の経年変化に伴う歪みの影響を受けることもなくドア枠を構築でき、従って既存の住宅においてリフォームを行うのに好適なドア装置を提供することにある。この発明の目的は、開口枠の構築からドアパネルの吊り込み、および位置調整に至る一連の作業がより少ない手間で迅速に行え、その分だけ施工に要する費用を節約し、しかも家庭内での作業を短時間に止めることができる、既存の住宅でリフォームを行うのに好適な折戸構造のドア装置を提供することにある。この発明の目的は、ドア枠やガイドレールの組み立て精度にばらつきがある場合にも、ガイドレールに吊り込んだ吊元側のドアパネルを前後および左右方向へ位置調整でき、従って折戸を適正に開閉できる折戸構造のドア装置を提供することにある。
【０００５】
【課題を解決するための手段】
この発明のドア装置は、例えば図１に示すごとく室内収納スペースＲの開口部７０に組み付けられるドア枠７１と、ドア枠７１の開口面を開閉するドア本体１Ａとを備えている。ドア枠７１は、開口部７０の外縁壁に固定される左右一対の縦枠７３を含む。そして、ドア本体１Ａは、縦枠７３で規定されたドア開口に沿って、開口部７０の外縁壁より外側で開閉するように配置してあることを特徴とする。
【０００６】
上記のドア装置としては、左右一対の縦枠７３を含むドア枠７１と、両縦枠７３の上端間に固定したガイドレール２と、複数個のドアパネル１を折り畳み可能に連結して構成されるドア本体１Ａと、ドアパネル１に装着されるランナー３とを含む折戸構造とする。そして、ガイドレール２に上向きに突出するレール部８を設け、このレール部８にランナー３を上方から吊り掛けることができる。
【０００７】
前記ランナー３は、図３に示すごとくドアパネル１の上端面に固定されるブラケット１２と、ブラケット１２に対してピン１３で相対揺動可能に軸支されるアーム１４と、ドアパネル１の内面側においてアーム１４で支持されるランナーブロック１５とを含む。吊元側のランナー３は、ガイドレール２に固定したストッパー２２で移動不能に固定する。ストッパー２２は、図３および図４に示すごとく、ガイドレール２に固定されるホルダー２３と、ホルダー２３で上下動可能に支持されて、ばね２５で押し上げ付勢されるロック軸２４とを含む。ランナーブロック１５の下部に設けた突起２０をロック軸２４で受け止めて、ランナー３を移動不能に固定する。以て、ドアパネル１と床面との間に設けたピボットヒンジ５と、吊元側ランナー３のアーム１４を軸支するピン１３とで、吊元側のドアパネル１を揺動のみ可能に軸支することができる。
【０００８】
アーム１４とランナーブロック１５とは相対的に上下動可能に連結し、ランナーブロック１５をばね１９で押し下げ付勢することができる。
【０００９】
ピボットヒンジ５は、図５および図６に示すごとく、ドアパネル１の下端隅部に設けられるピボット軸２７と、床側に設けられてピボット軸２７を軸支するピボット軸受２８とを備えている。ピボット軸受２８は、ケース３２と、ケース３２内に配置されてピボット軸２７を軸支する軸受プレート３３と、調整用の第１・第２ボルト３４・３５とを含む。ケース３２の上壁４２には、第１ボルト３４の左右移動を許す第１調整穴４６と、第２ボルト３５の前後移動を許す第２調整穴４７と、ピボット軸２７の前後・左右方向の移動を許す調整開口４８とが設けられている。軸受プレート３３には、ピボット軸２７を軸支する軸受部５４と、第２ボルト３５との動作干渉を避ける左右方向の逃げ溝５５と、第１ボルト３４が挿通される揺動穴５６とが設けられている。そして、第１調整穴４６および揺動穴５６に挿通した第１ボルト３４と、第２調整穴４７および逃げ溝５５に挿通した第２ボルト３５とで、軸受プレート３３をケース３２に対して左右調整可能に、かつ前後へ調整揺動可能に締結することができる。
【００１０】
【発明の作用効果】
この発明では、開口部７０の外面に縦枠７１を組み、縦枠で規定されるドア開口に沿ってドア本体１Ａを開閉できるようにするので、既存の室内収納スペースＲの開口部７０の縦横寸法や、経年変化に伴う歪みの影響や制約を受けることもなくドア枠７１を構築でき、既存の住宅においてリフォームを行うのに好適なドア装置が得られる。
【００１１】
左右一対の縦枠７３を含むドア枠７１と、ガイドレール２と、折り畳み可能に構成したドア本体１Ａと、ランナー３とで折戸構造のドア装置を構成し、各ドアパネル１に装着したランナー３をガイドレール２のレール部８に上方から吊り掛けるようにしたドア装置によれば、縦枠７３とガイドレール２とを開口部７０の外壁面に取り付けた後、ドア本体１Ａをガイドレール２に吊り掛けるだけでドア装置をほぼ完成でき、従来のドア装置に比べて施工の手間および時間を軽減して作業時間を短縮できる。
【００１２】
ランナーブロック１５をガイドレール２に装着したストッパー２２で移動不能にロック固定して、ドアパネル１を支持するランナー３を上側のピボットヒンジ４として利用すると、専用部品を設ける必要がないので、その分だけ折戸などの構築に要する全体コストを節約でき、ストッパー２２のガイドレール２に対する取付姿勢を左右に反転するだけで、右勝手と左勝手に対応できる点でも有利である。
【００１３】
アーム１４とランナーブロック１５とを相対的に上下動可能に連結し、ランナーブロック１５をばね１９で押し下げ付勢するドア装置によれば、ピボット軸２７を上下調整する際のドアパネル１の高さ変動を、アーム１４とランナーブロック１５とが上下動することで自動的に吸収できるので、高さ調整時の操作対象をピボット軸２７のみに限って、調整操作を簡素化できる。また、アーム１４とランナーブロック１５とが上下動する場合にも、ランナーブロック１５をレール部８に常に密着させて、ランナーブロック１５がレール部８から脱落するのを確実に防止できる。
【００１４】
ピボット軸受２８が、ケース３２と、その内部に配置される軸受プレート３３と、調整用の第１・第２ボルト３４・３５などで構成され、軸受プレート３３がケース３２の上壁４２に沿って左右に移動調整でき、あるいは第１ボルト３４を中心にして前後へ揺動調整できるようにしたドア装置によれば、部屋や収納部のリフォームに付随してドアパネル１を設置する場合などに、上下のピボット軸の中心のずれを、前後・左右に調整して適正に一致させることができ、従って常に適正に開閉できる折戸構造のドア装置とすることができる。
【００１５】
【発明の実施の態様】
（第１実施例）
図１ないし図１０は、この発明に係るアウトセット構造のドア装置、なかでも折戸構造のドア装置の第１実施例を示す。図１および図２においてドア装置は、クローゼットなどの室内収納スペースＲの開口部７０に組み付けられる左右一対のドア枠７１と、ドア枠７１の開口面を開閉するドア本体１Ａなどで構成する。ドア枠７１は、開口部７０の外縁壁に固定される左右一対の縦枠７３からなり、両縦枠７３の上端間にガイドレール２が固定される。縦枠７３は木材で形成することができる。
【００１６】
ドア本体１Ａは、複数個のドアパネル１をヒンジ１１を介して折り畳み可能に連結して構成され、各ドアパネル１の上隅内面に装着したランナー３を介してガイドレール２でスライド可能に案内支持してある。これにより、ドア本体１Ａは縦枠７３で規定される開口面、即ち開口部７０の外縁壁に沿って開閉移動できる。ドアパネル１の吊元側の上下は上下一対のピボットヒンジ４・５で揺動可能に軸支する。符号６は縦枠７３と戸先側のドアパネル１との間に設けた振れ止め具である。図３においてガイドレール２は、アルミニウム条材からなり、開口部７０の外縁壁にビス６８で固定される取付ベース７と、取付ベース７の下端から突設される断面Ｌ字状のレール部８とを備えている。レール部８の外面にはシール体９が装着され、上端に部分円弧状のガイド部１０が形成してある。
【００１７】
ランナー３は、ドアパネル１の上端面に固定される逆Ｌ字状のブラケット１２と、このブラケット１２に固定したピン１３で水平揺動可能に軸支される逆Ｌ字状のアーム１４と、アーム１４に支持されるランナーブロック１５とで構成してある。ランナーブロック１５は、ポリアセタールなどの潤滑性に優れたプラスチック材を素材とする角箱状の射出成形品からなり、その外下隅に設けたスライド溝１６が先のガイド部１０に上方から吊り掛けられている。図４に示すようにランナーブロック１５とアーム１４とは、アーム１４に固定した水平のスプリングピン１７と、ランナーブロック１５に設けた上下に長い溝１８を介して連結されており、これにより両者１４・１５は相対的に上下動できる。スプリングピン１７とランナーブロック１５との間には、ばね１９が介装されており、このばね１９でランナーブロック１５を下向きに押し下げ付勢している。ランナーブロック１５の下端には、後述するストッパー２２で係合捕捉されるロック用の突起２０が設けてある。
【００１８】
図９および図１０において、振れ止め具６は縦枠７３に固定されるキャッチ８０と、ドアパネル１に固定されてキャッチ８０で係合捕捉されるソケット８１とからなる。キャッチ８０には台形状の突起８２が設けてあり、図１０に示すように突起８２がソケット８１の係合凹部８３内に進入して係合することにより、ドアパネル１を前後遊動不能に固定する。キャッチ８０およびソケット８１はそれぞれプラスチック成形品で形成してある。ソケット８１の左右に係合凹部８３を設けておくことにより、キャッチ８０およびソケット８１は左右勝手の違いとは無関係に共用できる。
【００１９】
ドアパネル１の上側のピボットヒンジ４は、吊元側のランナー３を利用して構成する。詳しくは、図４に示すようにガイドレール２の内部に固定したストッパー２２で先の突起２０を受け止めて、吊元側のランナーブロック１５を移動不能にロック固定し、これによりアーム１４を軸支するピン１３をピボット軸として利用している。ストッパー２２は、ダイキャスト成形品からなるホルダー２３と、ホルダー２３に上下動可能に支持したロック軸２４と、ロック軸２４を押し上げ付勢するばね２５とからなる。ホルダー２３の上部には前記突起２０の入り込みを許す溝２３ａを設けてあり、溝２３ａの入り口側にロック軸２４の上端が突出している。ロック軸２４は溝２３ａ内に嵌り込んだ突起２０を受け止めて、ランナー３がガイドレール２に沿ってスライドするのを規制する。ばね２５に抗してロック軸２４を引き下げ操作すると、ランナー３のロック状態を開放でき、突起２０はホルダー２３から抜け出すことができる。
【００２０】
図５および図６において下側のピボットヒンジ５は、ドアパネル１の下端隅部に設けられるピボット軸２７と、床側に設けられてピボット軸２７を軸支するピボット軸受２８とからなる。ピボット軸２７はドアパネル１に埋設固定したケース２９に組み込まれており、ケース２９の下端に設けた調整ナット３０を操作することにより、上下位置を変更調整できる。この上下調整に伴うドアパネル１の高さ変動を吸収するために、ランナー３とアーム１４とを上下動可能に連結し、さらにランナーブロック１５をレール部８に常に密着させておくために、ばね１９でランナーブロック１５を押し下げ付勢している。
【００２１】
ピボット軸受２８は、床面等に固定されるベース３１と、ベース３１の上面に固定されるケース３２と、ケース３２内に配置されてピボット軸２７を軸支する軸受プレート３３と、左右および上下調整用の第１ボルト３４および第２ボルト３５、および両ボルト３４・３５にねじ込まれる雌ねじ体６０・６１などで構成する。ベース３１は、図５に示すように左右横長の金属板材からなり、その板面にケース３２を差し込み係合するための位置決め溝３７を設け、一方の長辺部寄りの左右にビス穴３９を設けてなる。位置決め溝３７で囲まれる板面の２箇所には、ケース３２を床に締結するためのビス穴４０が形成してある。右勝手と左勝手のいずれの使用形態時にもベース３１を共用するために、２個のビス穴４０は対称位置に形成してある。
【００２２】
ケース３２は、横長４角形状の上壁４２と、前後・左右の周側壁４３・４４とを備えた、下向きに開口する角箱状のプレス成形品からなる。前後・左右の周側壁４３・４４の下端縁には、それぞれ先の位置決め溝３７と係合する突起４５が設けてある。上壁４２には、図５に向かって右側から左側へ向かって、左右横長の第１調整穴４６と、ビス穴６２と、前後に長い第２調整穴４７と、ピボット軸２７の前後・左右方向の移動を許す四角形状の調整開口４８とが設けてある。第１・第２の調整穴４６・４７まわりには、調整方向を示す指標４９・５０をそれぞれ刻設してあり、各指標４９・５０の平行な目盛線によって調整量が確認できる。なお、ケース３２の前後幅は、ドアパネル１の前後厚みと一致させておく。
【００２３】
軸受プレート３３は、帯板状の面壁５２と、その左半部の前後縁に連続して折り曲げられる前後脚５３とを一体に形成したプレス成形品からなり、面壁５２にピボット軸２７を軸支する軸受部５４と、左右に長い逃げ溝５５と、第１ボルト３４が挿通される揺動穴５６とが形成してある。図８に示すように面壁５２の揺動穴５６側の端部は、ケース３２との接当干渉を避けるために丸めてあり、同様の理由から、前後脚５３は面壁５２の端部へ向かって先すぼまり状に形成してある。
【００２４】
図５において、第１ボルト３４用の雌ねじ体６０は、板面中央のバーリング部にねじ穴６４を形成した四角形状の板ナットからなり、後述するようにケース３２内に組み付けた状態において、バーリング部が軸受プレート３３の揺動穴５６にはまり込み、その短辺部がケース３２の前後の周側壁４３で回転不能に受け止められている。第２ボルト３５用の雌ねじ体６１も同様の板ナットで形成するが、その平面形状を横向きのＹ字状に形成して、ねじ穴６５の隣にビス６３との接当干渉を避ける切欠６６が形成してある。この雌ねじ体６１も先の雌ねじ体６０と同様に、前後辺部がケース３２の前後の周側壁４３で回転不能に受け止められている。雌ねじ体６１のバーリング部は軸受プレート３３の逃げ溝５５と係合する。
【００２５】
ベース３１、ケース３２および軸受プレート３３の三者は、次のように組む。まず、軸受部５４が調整開口４８に臨む状態で、軸受プレート３３をケース３２内に組み付け、第１ボルト３４をケース３２の上面側から第１調整穴４６ついで揺動穴５６に挿通して、雌ねじ体６０にねじ込む。同様に、第２ボルト３５を第２調整穴４７ついで逃げ溝５５に挿通して雌ねじ体６１にねじ込み、軸受プレート３３とケース３２とを一体化しておく。図５に示すように、開口部７０の縦枠７３にはＬ字状の入隅部Ｃが形成してあり、この入隅部Ｃにベース３１を当てがって位置決めし、ビス穴３９を介して床面にねじ込んだビス５８でベース３１を固定する。このように、ベース３１を入隅部Ｃで予め位置決めしておき、軸受プレート３３が組まれたケース３２をベース３１に係合して、ケース３２を位置決めすると、ピボット軸受２８が少ない手間で簡単に組み立てられるので、その分だけドア装置の施工に要するコストを削減できる。
【００２６】
次に、ケース３２の調整開口４８が開口側端に位置する状態で、突起４５をベース３１の位置決め溝３７および切欠３８に係合し、ケース３２を位置決めする。最後に、ケース３２のビス穴６２を介して、ビス６３をベース３１のビス穴４０を介して床にねじ込み、ケース３２を床に固定する。この後、ドア本体１Ａを半ば折り畳んだ状態で各ドアパネル１のランナー３をガイドレール２に吊り掛け、吊元側のランナー３をストッパー２２側へスライドさせて、突起２０がロック軸２４を乗り越えて溝２３ａ内へ嵌り込むようにすることにより、ランナー３をスライド不能に固定する。この後に、ピボット軸２７を軸受部５４に落とし込むことにより、吊元側のドアパネル１を上下のピボットヒンジ４・５で軸支できる。
【００２７】
ドア装置を既存の室内収納スペースＲに組み付ける場合には、開口部７０に縦枠７３を組み付け、さらにガイドレール２を固定する。ドア本体１Ａにランナー３とピボット軸２７とを組み付け、さらにピボットヒンジ５を前述の要領で床面に固定する。この後、各ドアパネル１のランナー３をガイドレール２に吊り掛け、吊元側のランナー３をストッパー２２でスライド不能に固定し、ドアパネル１の吊元側を僅かに持ち上げながらピボット軸２７を軸受部５４に落とし込む。最後に、ピボット軸２７の前後・左右方向の位置調整を行って作業を完了する。
【００２８】
ピボット軸２７の左右および前後調整を行う場合には、ドアパネル１を折り畳んで、第１・第２の両ボルト３４・３５の操作頭部を露出させ、軸受プレート３３を動かせる程度に両ボルト３４・３５を緩める。次に、各指標４８・４９の目盛り線（図７参照）を目安にして、両ボルト３４・３５を左右あるいは前後に操作してピボット軸２７の中心を移動させる。左右方向へピボット軸２７の中心を移動させた場合には、軸受プレート３３が左右に動くが、この動きは逃げ溝５５によって吸収されるので、第２ボルトが影響されることはない（図８参照）。前後方向へピボット軸２７の中心を移動させる場合には、軸受プレート３３は雌ねじ体６０のバーリング部を中心にして前後揺動するので、第１ボルト３４が影響されることはない。調整が終了したら、両ボルト３４・３５を締め込んで軸受プレート３３を固定する。一連の調整操作は、ドアパネル１を吊り込んだ状態のままでも支障なく行える。
【００２９】
ドア本体１Ａを完全に折り畳んだ状態では、ドアパネル１のヒンジ１１で連結された側が室内側へ大きく突出する。そのため、ランナー３には、ドア本体１Ａの重量による傾動モーメントが作用し、スライド溝１６がレール部８から外れようとする。しかし、ランナーブロック１５は前記ばね１９で常に押し下げ付勢されているので、ランナー３がガイドレール２から脱落することはない。以上のように構成したアウトセット型の折戸構造のドア装置によれば、縦枠７３、ガイドレール２などの主要部材を開口部７０の外面に設けるので、開口部７０の形状や寸法に制約されることなくドア装置を構築でき、ドアパネル１の上下長の制約もない。
【００３０】
（第２実施例）
図１１は、左右幅が大きな開口部７０を二組のドア本体１Ａで開閉する折戸構造のドア装置の第２実施例を示す。そこでは、開口部７０の左右端のそれぞれを吊元にして、各ドア本体１Ａを上下のピボットヒンジ４・５で支持する点と、各ドア本体１Ａの戸先の下端間に振れ止め具６を設ける点が第１実施例と異なる。図１２および図１３において振止め具６は、係止爪８５と爪受け凹部８６とを上下に隣接して、かつ左右で点対称となるように設けたプラスチック成形品からなり、ドアパネル１に対して隣接する係止爪８５と爪受け凹部８６とが互いに係合し合うように取り付けて使用する。他は第１実施例と同じであるので、同一部材に同じ符号を付してその説明を省略する。
【００３１】
上記以外に、この発明のドア装置におけるドア本体１Ａは、引き違い戸や、揺動開閉する開き戸であってもよく、その場合には縦枠７３の上端間に引き違い戸用のガイドレール２を配置し、あるいは縦枠７３の上端間に上枠を配置して、縦枠７３に装着したヒンジで開き戸を揺動開閉自在に支持することができる。床面に固定したガイドレールで振れ止めを移行案内する場合には、ピボット軸受２８をガイドレールに固定してもよい。この発明のピボットヒンジは、折戸以外のドアパネルを支持するためにも使用できる。
【図面の簡単な説明】
【図１】折戸の正面図
【図２】ドア枠の分解斜視図
【図３】ランナーの一部破断側面図
【図４】図３におけるＡ−Ａ線断面図
【図５】ピボットヒンジの分解斜視図
【図６】ピボットヒンジの縦断正面図
【図７】図６におけるＢ−Ｂ線断面図
【図８】ピボットヒンジの横断平面図
【図９】振止め具の正面図
【図１０】図９におけるＤ−Ｄ線断面図
【図１１】第２実施例に係る折戸の正面図
【図１２】振止め具の正面図
【図１３】図１２におけるＥ−Ｅ線断面図
【符号の説明】
１  ドアパネル
１Ａ  ドア本体
２  ガイドレール
３  ランナー
５  ピボットヒンジ
８  レール部
１２  ブラケット
１３  ピン
１４  アーム
１５  ランナーブロック
１９  ばね
２０  突起
２２  ストッパー
２３  ホルダー
２４  ロック軸
２５  ばね
２７  ピボット軸
２８  ピボット軸受
３２  ケース
３３  軸受プレート
３４  第１ボルト
３５  第２ボルト
４２  ケースの上壁
４６  第１調整穴
４７  第２調整穴
４８  調整開口
５４  軸受部
５５  逃げ溝
７０  開口部
７１  ドア枠
７３  縦枠
【図１】
0004142860.tif 000002
【図２】
0004142860.tif 000003
【図３】
0004142860.tif 000004
【図４】
0004142860.tif 000005
【図５】
0004142860.tif 000006
【図６】
0004142860.tif 000007
【図７】
0004142860.tif 000008
【図８】
0004142860.tif 000009
【図９】
0004142860.tif 000010
【図１０】
0004142860.tif 000011
【図１１】
0004142860.tif 000012
【図１２】
0004142860.tif 000013
【図１３】
0004142860.tif 000014